(57)【特許請求の範囲】
【請求項１】
複数の直管型の蛍光ランプを並行に保持した器具本体と、
前記器具本体に取り付けられるとともに前記各蛍光ランプ間に配設される長尺の中反射板と、
を備えた照明器具であって、
前記中反射板は、内側に空間を有し、かつ、その端縁が内側に折り曲げられて折曲部が設けられており、
前記折曲部に、仮吊紐保持用孔が設けられ、
前記仮吊紐は、紐本体の一方の端部に掛止部を有し、
前記仮吊紐の前記紐本体は、前記仮吊紐保持用孔に挿通され、かつ、前記仮吊紐における前記掛止部は前記折曲部上で掛止されて、前記仮吊紐保持用孔の上の、前記折曲部と前記器具本体との間の空間において保持されると共に、前記仮吊紐の前記紐本体は、前記中反射板の内側の空間内に収納されることを特徴とする照明器具。
【請求項２】
前記仮吊紐保持用孔は、前記中反射板の一方の端縁と他方の端縁との対角線上に設けられていることを特徴とする請求項１に記載した照明器具。
【請求項３】
前記仮吊紐保持用孔には、細長の紐挿通用空隙が連通しており、前記細長の紐挿通用空隙を挟んで対向する、前記中反射板における第１の部分および第２の部分のうちの前記第２の部分は仮吊紐取付誘い部として機能し、前記仮吊紐取付誘い部としての前記第２の部分は、前記中反射板の一部を、斜め下方に傾斜させてなる部分であることを特徴とする請求項１または２に記載した照明器具。
【発明の詳細な説明】
【技術分野】
【０００１】
本発明は、例えば住宅や工場等の天井面に直接取り付けられる照明器具に関し、特にルーバを備えた照明器具に関する。
【背景技術】
【０００２】
従来の照明器具の一例として、反射板およびルーバ片を有するルーバと、器具本体とを仮吊紐により連結した照明器具がある（例えば、特許文献１参照）。
【０００３】
上記特許文献１に開示された照明器具では、ランプの交換時やメンテナンス時に、仮吊紐を用いてルーバを器具本体から吊り下げるようにしている。
【先行技術文献】
【特許文献】
【０００４】
【特許文献１】特開平１１−３３９５４０号公報（図１、請求項１）
【特許文献２】特開２００８−０５９９３９号公報（図２、請求項１）
【発明の概要】
【発明が解決しようとする課題】
【０００５】
ところが、上記特許文献１に開示された従来の照明器具では、ランプの交換やメンテナンスを行う際に、ルーバと器具本体との間の空間に十分な余裕がないと、施工スペースが小さくなってしまう。そのため、仮吊紐を長くする場合がある。
しかし、仮に仮吊紐を長くしてルーバと器具本体との間の空間を大きくしようとすると、ルーバの器具本体への取付時に、長くなった仮吊紐がはみ出し易い。
従って、外観品質を損ねたり、はみ出した仮吊紐がランプに垂れ下がったりして、照明器具の商品性を低下させる虞がある。
【０００６】
本発明は、前述した課題を解決するためになされたものであり、その目的は、仮吊紐をはみ出さないようして商品性の向上を図ることができるとともに、ランプ交換時の施工スペースを十分に確保してランプの交換やメンテナンスを行い易くすることができる照明器具を提供することにある。
【課題を解決するための手段】
【０００７】
本発明に係る照明器具は、複数の直管型の蛍光ランプを並行に保持した器具本体と、前記器具本体に取り付けられるとともに前記各蛍光ランプ間に配設される長尺の中反射板と、を備えた照明器具であって、前記中反射板は、内側に空間を有し、かつ、その端縁が内側に折り曲げられて折曲部が設けられており、前記折曲部に、仮吊紐保持用孔が設けられ、前記仮吊紐は、紐本体の一方の端部に掛止部を有し、前記仮吊紐の前記紐本体は、前記仮吊紐保持用孔に挿通され、かつ、前記仮吊紐における前記掛止部は前記折曲部上で掛止されて、前記仮吊紐保持用孔の上の、前記折曲部と前記器具本体との間の空間において保持されると共に、前記仮吊紐の前記紐本体は、前記中反射板の内側の空間内に収納されることを特徴とする。
【０００８】
本発明において、仮吊紐は、その一端部を器具本体に接続し、その他端部を中反射板の内側に折り曲げられた端縁の折曲部における仮吊紐保持用孔に接続される。
これにより、中反射板が例えばＶ字形状にして中央部に空間部を有する形状に形成されることにより、中反射板を器具本体に取り付けた際に、中反射板の空間部内に仮吊紐が収納される。
従って、仮吊紐を長くしたとしても、はみ出さないようして商品性の向上を図ることができるとともに、ランプ交換時の施工スペースを十分に確保してランプの交換やメンテナンスを行い易くすることができる。
【０００９】
本発明に係る照明器具は、上記照明器具において、前記仮吊紐保持用孔は、前記中反射板の一方の端縁と他方の端縁との対角線上に設けられていることを特徴とする。
【００１０】
本発明においては、ランプの交換時やメンテナンス時に仮吊紐を用いて中反射板を器具本体から吊り下げられた際に、仮吊紐の他端部が、中反射板の内側に折り曲げられた端縁に対角配置されている仮吊紐保持用孔に接続される。
これにより、中反射板は器具本体から離れた位置に器具本体に平行に保持される。
従って、器具本体に対して平行に保持されている中反射板と器具本体との間に有効な施工スペースを確保することができる。
【００１１】
本発明に係る照明器具は、上記照明器具において、前記仮吊紐保持用孔には、細長の紐挿通用空隙が連通しており、前記細長の紐挿通用空隙を挟んで対向する、前記中反射板における第１の部分および第２の部分のうちの前記第２の部分は仮吊紐取付誘い部として機能し、前記仮吊紐取付誘い部としての前記第２の部分は、前記中反射板の一部を、斜め下方に傾斜させてなる部分であることを特徴とする。
【発明の効果】
【００１３】
本発明の照明器具によれば、中反射板は、その端縁を内側に折り曲げて、その折曲部に仮吊紐保持用孔を設けた。
これにより、仮吊紐をはみ出さないようして商品性の向上を図ることができるとともに、ランプ交換時の施工スペースを十分に確保してランプの交換やメンテナンスを行い易くすることができるという効果を有する。
【図面の簡単な説明】
【００１４】
【図１】本発明に係る第１実施形態の照明器具の斜め下方から視た外観斜視図
【図２】図１の照明器具の分解斜視図
【図３】図１の照明器具におけるルーバと中反射板との組体の斜め上方から視た外観斜視図
【図４】図３の中反射板における第１仮吊紐保持用孔の一部破断外観図
【図５】図３の中反射板における第２仮吊紐保持用孔の一部破断外観図
【図６】図１の照明器具における組体の組み付け手順を説明する第１段階の正面図
【図７】図６の組体における仮吊紐の正面図
【図８】図１の照明器具における組体の組み付け手順を説明する第２段階の正面図
【図９】図６の組体におけるルーバの詳細図
【図１０】図１の照明器具における組体の組み付け手順を説明する第３段階の正面図
【図１１】本発明に係る第２実施形態の照明器具における第２仮吊紐保持用孔の一部破断平面図
【図１２】図１１の垂直断面図
【発明を実施するための形態】
【００１５】
以下、本発明の複数の実施形態に係る照明器具について図面を参照して説明する。
【００１６】
（第１実施形態）
図１、図２に示すように、本発明の第１実施形態である照明器具１０は、器具本体１１と、光源である一対の直管型で並行に保持される蛍光ランプ１２と、複数のルーバ１４と中反射板１５とを有する組体１３と、一対の第１仮吊紐１６および第２仮吊紐１７とを備えて、天井面１に直接取り付けられる。
【００１７】
器具本体１１は、比較的薄い金属製板部材を用いて成形されており、天板１８と、一対の短寸側板１９と、一対の長寸側板２０とを有して下方を開放している。
【００１８】
器具本体１１は、天板１８の下面において幅方向の中央部に、安定器２１と、端子台２２と、一対の中反射板取付バネ２３とをそれぞれ取り付けている。
【００１９】
器具本体１１は、天板１８の下面において幅方向の中央部に、長手方向に一対の取付ボルト孔２４と、同じく長手方向で短寸側板１９寄りに一対の仮吊紐引掛け部２５とを設けており、端子台２２の近傍に単一の電源線挿通孔２６を設けている。
【００２０】
取付ボルト孔２４には、天井面１から床面に向けて突出設置されている一対の取付ボルト２が挿通される。そして、これら取付ボルト２に座金２７を介してナット２８がそれぞれねじ込まれることにより、器具本体１１が天井面１に接して組み付けられる。
【００２１】
仮吊紐引掛け部２５は、天板１８を切り起し成形することにより、下方に向けてＶ字形状に突出形成されている。
【００２２】
電源線挿通孔２６には、天井面１側から電源線３が引き込まれる。電源線３は端子台２２に電気的に接続される。端子台２２からは安定器２１を通じてランプソケット２９へ不図示の器具電線が接続される。
【００２３】
中反射板取付バネ２３は、器具本体１１の天板１８の下方に向けてハ字形状に突出して配置されている。
【００２４】
中反射板取付バネ２３は、両先端部に有するＬ字形状部分で中反射板１５の両上端部を挟み込むことにより中反射板１５を器具本体１１に組み付ける。
【００２５】
器具本体１１は、それぞれの短寸側板１９の内側に二対のランプソケット２９を取り付けている。
【００２６】
ルーバ１４は、器具本体１１と同様の比較的薄い金属製板部材を用いて成形されている。ルーバ１４は、器具本体１１の両長寸側板２０の間隔寸法よりも小さい幅寸法を有し、中央部が大きく両側部が小さいものとして予め定められた高さ寸法を有する。
【００２７】
中反射板１５は、ルーバ１４と同様の比較的薄い金属製板部材を用いてＶ字形状に形成されている。中反射板１５は、器具本体１１の両短寸側板１９の間隔寸法よりも小さい長さ寸法を有し、長手方向に沿った両外側に一対の副反射板３０をそれぞれ備える。
【００２８】
中反射板１５は内側に空間部（図３参照）３１を有する。そのため、中反射板１５は、安定器２１、端子台２２、取付ボルト２、座金２７およびナット２８、電源線３、仮吊紐引掛け部２５のそれぞれを空間部３１内に収納して器具本体１１に取り付けられる。
【００２９】
第１仮吊紐１６は、所定の十分に長い長さ寸法を有する紐本体３２の一端部にＳ字形状をなすフック部３３を有し、紐本体３２の他端部に略球形状をなす掛止部（図７参照）３４を有する。
【００３０】
第２仮吊紐１７は、第１仮吊紐１６と同一に形成されており、紐本体３５の一端部にフック部３６を有し、紐本体３５の他端部に略球形状をなす掛止部（図７参照）３７を有する。
【００３１】
第１仮吊紐１６のフック部３３は器具本体１１の一方の仮吊紐引掛け部２５に引っ掛けられ、第２仮吊紐１７のフック部３６は器具本体１１の他方の仮吊紐引掛け部２５に引っ掛けられる。
【００３２】
図３に示すように、中反射板１５は、両端縁を内側に折り曲げられて折曲部３８，３９を形成しており、一方の折曲部３８と他方の折曲部３９の対角線上の端部寄りに第１仮吊紐保持用孔４０および第２仮吊紐保持用孔４１を設けている。
【００３３】
中反射板１５は、ルーバ１４を装着するためのルーバ取付用スリット４２と、ルーバ取付用スリット４２の外側に配置された一対の折り曲げ片挿通用孔４３とを長手方向の等間隔に複数有する。
【００３４】
図４に示すように、第１仮吊紐保持用孔４０は、一方の折曲部３８の一端部寄りにおいて矩形に開放切除された挿入用切欠４４を通じて連通形成されている。
【００３５】
図５に示すように、第２仮吊紐保持用孔４１は、他方の折曲部３９の他端部寄りにおいて矩形に開放切除された挿入用切欠４５を通じて連通形成されている。
【００３６】
次に、ルーバ１４と中反射板１５と各仮吊紐１６，１７との詳細構造および組み付け手順について説明する。
【００３７】
図６に示すように、ルーバ１４は、中央部に、上方から下方に向けてＶ字形状に切除されていて一対の折り曲げ片４６を突出形成した中反射板取付用凹部４７を有し、中反射板取付用凹部４７の両側部に、同じく上方から下方に向けて湾曲形状に切除された一対の蛍光ランプ逃げ凹部４８を有する。そして、ルーバ１４は、蛍光ランプ逃げ凹部４８の外側に上方から下方に向けてＩ字形状に切除された一対の副反射板取付用スリット４９を有する。
【００３８】
ルーバ１４は、中反射板取付用凹部４７を中反射板１５の中央位置に位置決めしてから、中反射板取付用凹部４７を中反射板１５のルーバ取付用スリット４２に挿入していき、一対の折り曲げ片４６を一対の折り曲げ片挿通用孔４３にそれぞれ挿入していく。
【００３９】
図７に示すように、第１仮吊紐１６は、紐本体３２の他端部に紐本体３２を結束した形状の掛止部３４を有する。第１仮吊紐１６は、紐本体３２が挿入用切欠４８を通じて挿通されることにより、掛止部３４が一方の折曲部３８の上部に掛止して第１仮吊紐保持用孔４０に保持されている。そのため、第１仮吊紐１６は中反射板１５の空間部３１内に収納される。なお、ここでは図示しないが、第２仮吊紐１７も第１仮吊紐１６と同様に他方の折曲部３９の上部に掛止されることにより第２仮吊紐保持用孔４１に保持されて中反射板１５の空間部３１内に収納される。
【００４０】
ここで、中反射板１５の一方の折曲部３８は、中反射板１５と器具本体１１との傾斜角度よりも十分に小さい折曲角度を有する。そのため、中反射板１５を器具本体１１に組み付けた際に、折曲部３８が器具本体１１に面接触しない。これにより、第１仮吊紐１６の掛止部３４を潰してしまったり、掛止部３４により折曲部３８に浮きを生じたりすることがない。
【００４１】
図８に示すように、ルーバ１４の中反射板取付用凹部４７を中反射板１５のルーバ取付用スリット４２に挿入して、一対の折り曲げ片４６を一対の折り曲げ片挿通用孔４３にそれぞれ挿入したことにより、一対の折り曲げ片挿通用孔４３にそれぞれ挿入された一対の折り曲げ片４６が中反射板１５の内側にそれぞれ突出する。
【００４２】
図９に示すように、このとき、中反射板１５のルーバ取付用スリット４２に挿入したルーバ１４の中反射板取付用凹部４７は、最低板厚寸法Ｔ１よりも十分に大きい寸法で挿入される。
【００４３】
これにより、挿入時の傾きやルーバ１４および中反射板１５の寸法バラツキに伴うルーバ取付用スリット４２との間に大きな隙間を生ずることを防止することができる。
【００４４】
また、挿入時の誘いの機能を有するために、ルーバ１４の中反射板取付用凹部４７を中反射板１５のルーバ取付用スリット４２に挿入し易くすることができる。
【００４５】
さらに、一対の折り曲げ片４６を中反射板１５の内側において折り曲げることによりルーバ１４を中反射板１５に固定する際に、一対の折り曲げ片４６の一対の折り曲げ片挿通用孔４３への支持に加え、中反射板取付用凹部４７のルーバ取付用スリット４２への支持により、ルーバ１４と中反射板１５との相互固定力を増強することができる。
【００４６】
図１０に示すように、次に、それぞれ突出している一対の一対の折り曲げ片４６を中反射板１５の内側に向けて折り曲げることにより、折り曲げ片４６によりルーバ１４を中反射板１５に固定する。そして、ルーバ１４の副反射板取付用スリット４９に副反射板３０を挿入することにより、複数のルーバ１４と、一対の副反射板３０と、中反射板１５と、からなる組体１３が形成される。
【００４７】
このような照明器具１０は、工場における組立工程において、複数のルーバ１４と、一対の副反射板３０と、中反射板１５と、からなる組体１３を組立ててから、組体１３の中反射板１５における一方の折曲部３８の第１仮吊紐保持用孔４０に第１仮吊紐１６の掛止部３４を掛止し、他方の折曲部３９の第２仮吊紐保持用孔４１に第２仮吊紐１７の掛止部３７を掛止しておく。
【００４８】
施工現場において、器具本体１１の一対の取付ボルト孔２４を天井面１の取付ボルト２に合わせ、器具本体１１の電源線挿通孔２６に電源線３を引き込んで器具本体１１を所定位置に配置する。
【００４９】
次に、取付ボルト２に座金２７を介してナット２８をそれぞれねじ込むことにより、器具本体１１を天井面１に組み付ける。このとき、組体１３は、各仮吊紐１６，１７により器具本体１１の下方に吊り下げられている。
【００５０】
そして、各仮吊紐１６，１７により器具本体１１と組体１３との間に形成されている施工スペースを用いて二対のランプソケット２９に２本の蛍光ランプ１２をそれぞれ装着し、その後に、中反射板１５を中反射板取付バネ２３に組み付けることにより中反射板１５を器具本体１１に取り付ける。
【００５１】
ランプの交換時期やメンテナンス時期が到来した際に、中反射板１５を中反射板取付バネ２３から取り外す。すると、各フック部３３，３６が器具本体１１の各仮吊紐引掛け部２５，２５に引っ掛けられていて、各掛止部３４，３７が各仮吊紐保持用孔４０，４１に保持されている各仮吊紐１６，１７により組体１３が器具本体１１の下方に吊り下げられる。
【００５２】
そして、各仮吊紐１６，１７により器具本体１１と組体１３との間に形成されている施工スペースを用いて各蛍光ランプ１２の交換作業やメンテナンスを行うことになる。
【００５３】
ランプの交換やメンテナンスが完了した後に、中反射板１５を中反射板取付バネ２３に再び組み付けることにより中反射板１５を器具本体１１に取り付ける。
【００５４】
以上説明してきたように、本発明の第１実施形態の照明器具１０では、第１仮吊紐１６および第２仮吊紐１７は、各フック部３３，３６を器具本体１１に接続し、各掛止部３４，３７を中反射板１５の内側に折り曲げられた端縁の折曲部３８，３９における各仮吊紐保持用孔４０，４１に接続される。
これにより、中反射板１５がＶ字形状にして中央部に空間部３１を有する形状に形成されることにより、中反射板１５を器具本体１１に取り付けた際に、中反射板１５の空間部３１内に各仮吊紐１６，１７が収納される。
従って、各仮吊紐１６，１７を長くしたとしても、はみ出さないようして商品性の向上を図ることができるとともに、ランプ交換時の施工スペースを十分に確保して蛍光ランプ１２の交換やメンテナンスを行い易くすることができる。
【００５５】
本発明の第１実施形態の照明器具１０では、蛍光ランプ１２の交換時やメンテナンス時に各仮吊紐１６，１７を用いて中反射板１５を器具本体１１から吊り下げた際に、各仮吊紐１６，１７の掛止部３４，３７が、中反射板１６の内側に折り曲げられた端縁に対角配置されている各仮吊紐保持用孔４０，４１に接続される。
これにより、中反射板１５は器具本体１１から離れた位置に器具本体１１に平行に保持される。
従って、器具本体１１に対して平行に保持されている中反射板１５と器具本体１１との間に有効な施工スペースを確保することができる。
【００５６】
（第２実施形態）
次に、本発明の第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００５７】
図１１、図１２に示すように、本発明の第２実施形態の照明器具６０は、仮吊紐挿入方向に大きくなるように勾配が設けられている面、すなわち取付面に対して下方に向けて斜めに折り曲げられていて紐挿通用空隙６１を有する仮吊紐取付誘い部６２を設けた第１仮吊紐保持用孔６３（第２仮吊紐保持用孔６４）を有する。
【００５８】
第１仮吊紐１６は、紐本体３２が挿入用切欠４８から仮吊紐取付誘い部６２の紐挿通用空隙６１を通じて挿通されることにより、掛止部３４が一方の折曲部３８の上部に掛止して第１仮吊紐保持用孔６３に保持される。
【００５９】
第２実施形態の照明器具６０では、各仮吊紐１６，１７は、各掛止部３４，３７を傾斜していて取付面に対して折り曲げられている仮吊紐取付誘い部６２，６２を介して各仮吊紐保持用孔６３，６４に接続される。
これにより、各仮吊紐保持用孔６３，６４に掛止部３４，３７を接続した各仮吊紐１６，１７に取付面に平行な力が加わったとしても、各仮吊紐１６，１７が仮吊紐取付誘い部６２，６２に引っ掛かることになる。
従って、各仮吊紐１６，１７の仮吊紐保持用孔６３，６４からの抜け止めを図って確実な接続状態を確保することができる。
【００６０】
なお、前記各実施形態で使用した器具本体１１、蛍光ランプ１２、ルーバ１４、中反射板１５等は例示したものに限定するものではなく適宜変更が可能である。
【符号の説明】
【００６１】
１０、６０  照明器具
１１  器具本体
１２  蛍光ランプ（光源）
１５  中反射板
３８、３９  折曲部
４０  第１仮吊紐保持用孔（仮吊紐保持用孔）
４１  第２仮吊紐保持用孔（仮吊紐保持用孔）
６２  仮吊紐取付誘い部
６３  第１仮吊紐保持用孔（仮吊紐保持用孔）
６４  第２仮吊紐保持用孔（仮吊紐保持用孔）
【図１】
0005429969.tif 000002
【図２】
0005429969.tif 000003
【図３】
0005429969.tif 000004
【図４】
0005429969.tif 000005
【図５】
0005429969.tif 000006
【図６】
0005429969.tif 000007
【図７】
0005429969.tif 000008
【図８】
0005429969.tif 000009
【図９】
0005429969.tif 000010
【図１０】
0005429969.tif 000011
【図１１】
0005429969.tif 000012
【図１２】
0005429969.tif 000013